(57)【要約】【課題】製造コストを高くすることなく、ペットの肩や前肢等の骨格に沿った胸部全体にゆとりのある立体的な構造を付与することができ、長期間着用して運動しても、袖口周りの生地が簡単に傷んだりする恐れの無い、ペット用衣類を提供することである。【解決手段】このペット用衣類１０は、前身頃１２と、後身頃１４と、袖５２，５４とを含む。脇線３６および４４は、後身頃１４側に配置され、前身頃１２の縦方向の長さは、後身頃１４の縦方向の長さよりも長くなるように形成されている。さらに、肩線３８および４６の位置は、後身頃１４側に片寄った位置に配置され、肩線３８および４６に対応して、肩先Ｓ１，Ｓ２および袖下線６４が配置されている。この場合、一方および他方の袖下線６４は、それぞれ、脇線３６および４４と略直交する方向に向いて配置されている。【選択図】図５
2006034122.tif 000002
【特許請求の範囲】
【請求項１】
前身頃、後身頃、および袖を含み、
脇線が前記後身頃側に配置されると共に、前記前身頃の縦方向の長さが前記後身頃の縦方向の長さよりも長くなるように形成され、且つ、肩線の位置が前記後身頃側に片寄った位置に配置され、前記肩線に対応して、前記肩線と前記袖の袖付線との交点（肩先）および袖下線が配置され、
前記袖下線は前記脇線と略直交する方向に向いて配置されることを特徴とする、ペット用衣類。
【請求項２】
前記肩線の位置は、犬、ネコ等の四足動物の肩甲骨の上部側から頚骨の方向に向かう方向に略沿って配置され、前記脇線の位置は、前記犬、ネコ等の四足動物の脇部分にあたる位置に配置され、前記袖下線の延びる方向と前記脇線の延びる方向とが略直交するように配置されていることを特徴とする、請求項１に記載のペット用衣類。
【請求項３】
前記袖は、ラグラン袖を含む、請求項１または請求項２に記載のペット用衣類。
【請求項４】
前記ラグラン袖は、そのアームホール下部から下の付袖部分をカットして配設された袖口を有し、袖下線がない袖下なしのラグラン袖を含むことを特徴とする、請求項３に記載のペット用衣類。
【請求項５】
前記袖は、前記袖の前袖よりも後袖の方にゆとりを有することを特徴とする、請求項１〜請求項４のいずれかに記載のペット用衣類。
【発明の詳細な説明】
【技術分野】
【０００１】
本願発明は、ペット用衣類に関し、特に、たとえば犬や猫に着用させるペット用衣類に関する。
【背景技術】
【０００２】
図９は、本願発明の背景となる従来のペット用衣類の一例を示し、この従来のペット用衣類を犬に着用させた状態を示す図解図である。従来のペット用衣類１では、肩線（肩縫目）２の位置が前身頃３の方に片寄って配置され、それに伴い袖山（肩先）４も前方に配置されている。したがって、袖付線（袖縫目）５も前方に配置され、その位置に袖６が付けられている。この場合、この従来のペット用衣類１では、図１２に示す袖下線９の延長線の方向が、肩線（肩縫目）２および袖山（肩先）４の方向に向いている。つまり、それとは反対に、袖６の袖口は、図１３に示すように、斜め下後方に向いて配置されている。また、アームホールＡＨを形成する弧状の前腕繰り（前身頃アームホール）ｆａｈおよび背腕繰り（後身頃アームホール）ｂａｈを見てみると、図１１中の二点鎖線に示すように、前腕繰り（前身頃アームホール）ｆａｈの弦の長さと背腕繰り（後身頃アームホール）ｂａｈの弦の長さとが同程度となっている。
さらに、この従来のペット用衣類１では、たとえば図１０に示すように、脇線７も前身頃の方に片寄って配置されている。
一方、従来の犬の衣服には、舌状の肩吊り部および腰吊り部が、肩と腰に別れて前みごろを下腹部に密接させ、前みごろに犬の四肢を挿入する前後足部を連通して設けたものがあった（例えば、特許文献１参照。）。この犬の衣服では、水溜りなどによる下腹部のはねかえりの汚れが犬の体に直接つかず、また、着用させて足首等を洗っても、体を濡れさせない効果があった。
さらに、従来の動物用の衣服には、たとえば犬の左肩、右肩、腹部、ネック部のリブ、裾部のリブ、背部の６つのパーツを縫い合わせ、背部以外のパーツに伸縮性のある織物やニット地等の生地を使用して伸縮度を増大させたプルオーバー式で着用させるものがあった（例えば、特許文献２参照。）。この動物用衣服では、ボタン式、ファスナー式のように手間を要することなく、動物の首や足をとおして着用させることができ、着脱性が改善された。
【０００３】
【特許文献１】特開２０００−２４５２８３号公報（第１−２頁、図１，図４）
【特許文献２】登録実用新案第３０８４９６３号公報（第３−４頁、図１，図４，図７）
【発明の開示】
【発明が解決しようとする課題】
【０００４】
しかしながら、この従来のペット用衣類１では、肩線（肩縫目）２の位置が前身頃３の方に片寄って配置され、無理な袖付け構造を有しているので、図９に示すように、袖６の前側部分が犬の前肢の前部と当接してその袖６部分の生地がつった状態となる。
一方、犬の骨格と人間の骨格とを比べてみると、人間の肩甲骨が鎖骨に支えられて横方向に広がっているのに対して、犬は、鎖骨が無く、肩甲骨が縦方向についているので、犬は、人間ほど自由に前肢（人間でいう腕）を動かすことができない。
そのため、袖６の前側部分の生地がつった状態となっていると、元来、人間に比べて前肢が動かしにくい骨格構造の犬にとっては、より一層、歩行や走ったりする運動機能の支障になるものであった。しかも、このペット用衣類１を長期間にわたって着用した場合、犬の歩行や走ったりする運動によって、袖６と犬の前足とが当接する袖口部分が擦れて綻んでしまい、該袖口部分の生地が傷むものとなっていた。
さらに、この従来のペット用衣類１では、たとえば図１０に示すように、肩線２に加えて、脇線７も前身頃３の方に片寄って配置されているので、たとえば図１１（Ａ），（Ｂ）に示すように、前身頃３の幅が後身頃８に比べて非常に狭くなっている。また、前身頃３および後身頃８の縦方向の長さ（丈）も略同程度になっている。したがって、このペット用衣類１を着用した際には、胸部全体にゆとりが少ない立体感の乏しいものとならざるを得なかった。この場合、元来、獲物を追い求めて長距離を走る生活をし、前肢を動かす胸部の筋肉が発達している犬にとっては、この従来のペット用衣類１は、犬の肩や前肢の動きに対して窮屈なものとなり、着心地の悪いものであった。
すなわち、図９に示すような従来のペット用衣類１では、それを着用させるたとえば犬や猫の骨格に沿った構造を有するものではなく、ただ単に、たとえば子供服の上着を小型化した構成となっているため、上述したような種々の不具合が生じるものであった。
また、たとえば特許文献１に記載されているような犬の衣服においても、特に、その図４に示すように、肩線が前身頃の側に大きく片寄って配置されているため、これまた、上述した従来のペット用衣類１と同様に、胸部全体にゆとりが少ない立体感の乏しいものとなっている。さらに、たとえば特許文献２に記載されているプルオーバー式の動物用の衣服では、伸縮性のある織物やニット地等の伸縮性を有する生地で構成しなければならないので、伸縮性の無い普通の生地で構成する場合に比べて製造コストが高いものとなっていた。
【０００５】
それゆえに、本願発明の主たる目的は、製造コストを高くすることなく、ペットの肩や前肢等の骨格に沿った胸部全体にゆとりのある立体的な構造を付与することができ、長期間着用して運動しても、袖口周りの生地が簡単に傷んだりする恐れの無い、ペット用衣類を提供することである。
【課題を解決するための手段】
【０００６】
請求項１にかかる本願発明は、前身頃と、後身頃と、袖とを含み、脇線が後身頃側に配置されると共に、前身頃の縦方向の長さが後身頃の縦方向の長さよりも長くなるように形成され、且つ、肩線の位置が後身頃側に片寄った位置に配置され、肩線に対応して、肩線と袖の袖付線との交点（肩先）および袖下線が配置され、袖下線は脇線と略直交する方向に向いて配置されることを特徴とする、ペット用衣類である。
請求項１にかかる本願発明では、従来のペット用衣類およびたとえば特許文献１に記載されているような犬の衣服等に比べて、特に、肩線（肩縫目）、肩先、袖付線および脇線等が前身頃よりも後身頃寄りに配置され、且つ、袖下線が脇線と略直交する方向に向いて延び設けられているため、袖付線で付けられる袖の袖口の向きが略下に向くように形成される。したがって、請求項１にかかる本願発明のペット用衣類をペットが着用した場合でも、該袖部分の生地がつった状態にはならない。そのため、当該ペット用衣類を長期間にわたって着用し、歩行や走ったりする運動によっても、袖とペットの前足とが当接する袖口部分が擦れて綻んでしまい、該袖口部分の生地が傷むという心配が無い。
さらに、前身頃の縦方向の長さが後身頃の縦方向の長さよりも長く形成されているので、当該ペット用衣類では、肩線、肩先等を後身頃側に寄せて配置した構成との協働作用によって、胸部にゆとりができ、立体感の富んだものとなり、ペットの肩や前肢の動きに対して窮屈感のない着心地の良いものとなる。しかも、たとえば特許文献２に記載されている従来のプルオーバー式の動物用衣服のように伸縮性のあるニット地等の生地を必要としないため、製造コストの低減化も図られる。
請求項２にかかる本願発明は、請求項１に記載の発明に従属されるペット用衣類であって、肩線の位置は、犬、ネコ等の四足動物の肩甲骨の上部側から頚骨の方向に向かう方向に略沿って配置され、脇線の位置は、犬、ネコ等の四足動物の脇部分にあたる位置に配置され、袖下線の延びる方向と脇線の延びる方向とが略直交するように配置されていることを特徴とする、ペット用衣類である。
請求項２にかかる本願発明では、特に、ペット用衣類を着用させるたとえば犬、ネコ等の四足動物の骨格に即して、該ペット用衣類の肩線、肩先および脇線の位置が決定され、袖下線の延びる方向と脇線の延びる方向とが略直交するように配置されているため、より一層、効果的に請求項１にかかるペット用衣類と同様の作用・効果が得られる。
請求項３にかかる本願発明は、請求項１または請求項２に記載の発明に従属されるペット用衣類であって、袖は、ラグラン袖を含む、ペット用衣類である。
請求項３にかかる本願発明では、ラグラン袖を有するペット用衣類に本願発明が適用されたもので、請求項１または請求項２にかかるペット用衣類と同様の作用・効果を有するものである。
請求項４にかかる本願発明は、請求項３に記載の発明に従属されるペット用衣類であって、ラグラン袖は、そのアームホール下部から下の付袖部分をカットして配設された袖口を有し、袖下線がない袖下なしのラグラン袖を含むことを特徴とする、ペット用衣類である。
請求項４にかかる本願発明では、袖下線がない袖下なしのラグラン袖を有するペット用衣類に本願発明が適用されたもので、請求項３にかかるペット用衣類と同様の作用・効果を有するものである。
請求項５にかかる本願発明は、請求項１〜請求項４のいずれかに記載の発明に従属されるペット用衣類であって、前記袖は、前記袖の前袖よりも後袖の方にゆとりを有することを特徴とする、ペット用衣類である。
請求項５にかかる本願発明では、ペットとしてのたとえば犬、ネコ等の四足動物の前肢の骨格構造および前肢の動きを考えた場合、歩行したり走ったりするときに、あまり前肢（腕）が前方には出ないので、前袖よりも後袖の方にゆとりを持たせることによって、前肢の動きに適応して、動きやすい構造となっている。
【発明の効果】
【０００７】
本願発明にかかるペット用衣類によれば、製造コストを高くすることなく、ペットの肩や前肢等の骨格に沿った胸部全体にゆとりのある立体的な構造を付与することができ、長期間着用して運動しても、袖口周りの生地が簡単に傷んだりする恐れの無い、ペット用衣類が得られる。
【０００８】
本願発明の上述の目的、その他の目的、特徴および利点は、図面を参照して行う以下の発明を実施するための最良の形態の詳細な説明から一層明らかとなろう。
【発明を実施するための最良の形態】
【０００９】
この発明にかかるペット用衣類では、ペットの肩や前肢等の骨格に沿った胸部全体にゆとりのある立体的な構造を付与することを、歩行および走行等の運動機能性を損なわずに、しかも、製造コストを高くすることなく実現することができた。
【００１０】
図１は本願発明にかかるペット用衣類の一例を示す図であって、図１（Ａ）は正面図であり、図１（Ｂ）は一方の袖の袖下線を示す正面図であり、図１（Ｃ）は図１（Ａ）の背面図である。本実施形態例に示すペット用衣類１０は、特に、たとえば犬に着用させて好適なペット用衣類である。
ペット用衣類１０は、前身頃１２および後身頃１４を含む。前身頃１２は、図２に示すように、左右対称に構成される左前身頃１２ａおよび右前身頃１２ｂを有する。また、後身頃１４は、左右対称に構成される左後身頃１４ａおよび右後身頃１４ｂを有する。左後身頃１４ａおよび右後身頃１４ｂは、図１（Ｃ）に示すように、一体的に形成されている。さらに、前身頃１２および後身頃１４は、それぞれ、前腕繰り（前身頃アームホール）となるライン１６および背腕繰り（後身頃アームホール）となるライン１８を有する。この場合、ライン１６および１８は、弧状に形成され、図２中の二点鎖線に示すように、前腕繰り（前身頃アームホール）となるライン１６の弦の長さが、背腕繰り（後身頃アームホール）となるライン１８の弦の長さの３倍強ぐらいとなっている。
【００１１】
後身頃１４の横方向の左端側（左後身頃１４ａ）および右端側（右後身頃１４ｂ）には、それぞれ、左前身頃１２ａおよび右前身頃１２ｂが配置される。左前身頃１２ａおよび左後身頃１４ａは、脇線３６（図１参照）となる縫着ライン２０と縫着ライン２２（図２参照）、肩線３８（図１参照）となる縫着ライン２４と縫着ライン２６（図２参照）に沿って縫合されることによって、左身頃４０が形成される。
また、右身頃４２は、右前身頃１２ｂおよび右後身頃１４ｂが、脇線４４（図１参照）となる縫着ライン２８と縫着ライン３０（図２参照）、肩線４６（図１参照）となる縫着ライン３２と縫着ライン３４（図２参照）に沿って縫合されることによって形成される。
【００１２】
この場合、一方の前腕繰り（前身頃アームホール）１６および背腕繰り（後身頃アームホール）１８によって左身頃４０のアームホールＡＨ１が構成され、アームホールＡＨ１の周縁部に袖付線（袖付縫目）４８が構成される（図１および図４参照）。もう一方の前腕繰り（前身頃アームホール）１６および背腕繰り（後身頃アームホール）１８によって右身頃４２のアームホールＡＨ２が構成され、アームホールＡＨ２の周縁部に袖付線（袖付縫目）５０が構成される（図１および図４参照）。そして、袖付線（袖付縫目）４８および５０に沿って、それぞれ、袖５２および５４が縫合される。
【００１３】
また、縫合された前身頃１２および後身頃１４の縦方向の上端には、衿６０が配置される。一方、左前身頃１２ａおよび右前身頃１２ｂは、たとえば図２に示すように、それぞれ、その縦方向の上端にネックライン５６を有し、左後身頃１４ａおよび右後身頃１４ｂは、それぞれ、その縦方向の上端にネックライン５８を有する。この場合、衿６０は、ネックライン５６および５８に沿って縫合される。さらに、左前身頃１２ａの横方向の左前身頃端（前端）には、図１（Ａ），図１（Ｂ）に示すように、その縦方向に所定の間隔を隔てて複数の釦６２が縫着されている。
【００１４】
図１に示す実施形態例のペット用衣類１０では、特に、たとえば図１（Ｃ）に示すように、肩線３８および４６の位置が後身頃１４側に片寄った位置に配置されている。肩線３８および４６の配置に対応して、肩線３８と袖５２の袖付線（袖付縫目）４８との交点Ｓ１（以下、肩先Ｓ１と言う。）、および、肩線４６と袖５４の袖付線（袖付縫目）５０との交点Ｓ２（以下、肩先Ｓ２と言う。）が配置されている。そして、この肩先Ｓ１およびＳ２の位置には、それぞれ、袖５２および５４の袖山のトップポイントが位置するように、袖付線（袖付縫目）４８および５０が配置され、袖５２および５４が縫合されている。したがって、このペット用衣類１０では、特に、たとえば図１（Ｂ）および図５に示すように、左身頃４０および右身頃４２の袖下線６４が、それぞれ、脇線３６および４４と略直交する方向に向いて配置されている。
【００１５】
本実施形態例のペット用衣類１０では、特に、肩線３８および４６の位置が、該ペット用衣類１０を着用させようとする犬の肩甲骨の上部側から頚骨の方向に向かう方向に略沿って配置されている。さらに、脇線３６および４４の位置は、該犬の脇部分にあたる位置に配置され、袖５２の袖下線６４の延びる方向と脇線３６の延びる方向とが略直交するように配置され、且つ、袖５４の袖下線６４の延びる方向と脇線４４の延びる方向とが略直交するように配置されている。
【００１６】
さらに、このペット用衣類１０では、たとえば図２に示すように、前身頃１２の縦方向の長さ（丈）が後身頃の縦方向の長さ（丈）よりも長くなるように形成されている。しかも、脇線３６および４４は、たとえば図３および図４に示すように、後身頃１４側に配置されている。この場合、上述したように、肩線３８および４６の位置が後身頃１４側に片寄った位置に配置されているので、結果的に、前身頃１２の横方向の幅が広く形成されることとなる。
【００１７】
このペット用衣類１０では、特に、該ペット用衣類１０を着用させる犬の骨格に即して、肩線３８，４６、肩先Ｓ１，Ｓ２および脇線３６，４４の位置が決定されて、前身頃１２よりも後身頃１４寄りに配置され、且つ、袖下線６４の延びる方向と脇線３６，４４の延びる方向とが略直交するように配置されている。そのため、このペット用衣類１０を犬に着用させたときに、袖付線４８，５０で付けられる袖５２，５４の袖口の向きが、図３および図６に示すように、略下に向くように形成される。この場合、該袖５２，５４の袖口部分の生地がつった状態にはならない。したがって、このペット用衣類１０を長期間にわたって着用し、歩行や走ったりする運動によっても、袖５２，５４と犬の前肢とが当接する袖口部分が擦れて綻んで該袖口部分の生地が傷むという恐れも無い。
【００１８】
さらに、このペット用衣類１０では、犬の骨格構造および前肢の動きを考えた場合、歩行したり走ったりするときに、あまり前肢（腕）が前方には出ないので、袖５２，５４において、該袖５２，５４の前袖よりも後袖の方にゆとりを持たせることによって、前肢の動きに適応して、動きやすい構造となっている。すなわち、袖５２，５４の袖口から出る犬の前肢が、たとえば図３に示すように、袖５２，５４の前袖５２Ｆ，５４Ｆ寄りで、且つ、前袖５２Ｆ，５４Ｆの端部に当接しないところに位置するように、袖５２の袖下線６４の延長線と脇線３６の延長線との交差する角度θが、たとえば図５に示すように、適宜設定されている。この場合、角度θは、たとえば１３０°＞θ＞９０°に設定されるのが好ましく、１１０°＞θ＞９５°に設定されるのがより好ましいが、たとえばこのペット用衣類１０を着用させる犬、猫等の種類，体型（骨格）等によって適宜変更され得る。
【００１９】
その上、このペット用衣類１０では、前身頃１２の縦方向の長さ（丈）が後身頃の縦方向の長さ（丈）よりも長く形成されているので、該ペット用衣類１０では、肩線３８，４６、肩先Ｓ１，Ｓ２等を後身頃１４側に寄せて配置した上記構成との協働作用により胸部にゆとりができ、立体感の富んだものとなっている。そのため、犬にとっても肩や前肢の動きに対して窮屈感のない着心地の良いものとなる。しかも、たとえば特許文献２に記載されている従来のプルオーバー式の動物用衣服のように伸縮性のあるニット地等の生地を必要としないため、それに比べて、製造コストも安価なものとなっている。
【００２０】
図７は、本願発明にかかるペット用衣類の他の例を示し、このペット用衣類をたとえば犬に着用させた状態を示す図解図である。図７に示す実施形態例では、上述した実施形態例と比べて、特に、袖がラグラン袖６６を含み、衿６０が設けられていない点で相違している。すなわち、図７に示すペット用衣類１０では、ラグラン線６８および７０が後身頃１４側寄りで且つ高い位置に配置され、しかも、ラグラン線６８および７０のカーブが、肩先Ｓ１およびＳ２（図７では図示せず）付近の部位でショルダー・ポイントに近いところを通るように形成されている。このラグラン袖６６を有するペット用衣類１０においても、上述したペット用衣類１０と同様の作用・効果を有するものである。
【００２１】
図８は、本願発明にかかるペット用衣類のさらに他の例を示し、このペット用衣類をたとえば犬に着用させた状態を示す図解図である。図８に示す実施形態例では、図７に示した実施形態例と比べて、特に、ラグラン袖の構造が相違している。すなわち、図８に示すペット用衣類１０では、ラグラン袖７２（図７参照）が、そのアームホールＡＨ１の下部から下の付袖部分（図７の７１部分）をカットして設けられた袖口７４を有し、袖下線がない袖下なしのラグラン袖７２を含む構成となっている。袖下なしのラグラン袖７２を有するペット用衣類１０においても、上述した各ペット用衣類１０と同様の作用・効果を有するものである。
【産業上の利用可能性】
【００２２】
本願発明にかかるペット用衣類は、犬および猫等の四足動物に着用させて好適なもので、歩行等の運動機能に支障を来たすことがないペット用衣類である。
【図面の簡単な説明】
【００２３】
【図１】本願発明にかかるペット用衣類の一例を示す図であって、図１（Ａ）は正面図であり、図１（Ｂ）は一方の袖の袖下線を示す正面図であり、図１（Ｃ）は図１（Ａ）の背面図である。
【図２】図２（Ａ）は、図１に示すペット用衣類の前身頃となる縫製前の裁断された布をＸ−Ｘ線を中心に左右に配置した状態の平面図であり、図２（Ｂ）は、図１に示すペット用衣類の後身頃となる縫製前の裁断された布をＸ−Ｘ線を中心に左右に配置した状態の平面図である。
【図３】図１，図２に示すペット用衣類をたとえば犬に着用させた状態を示す図解図である。
【図４】図３に示す状態において、袖を取除いてアームホールの周辺を示した状態の図解図である。
【図５】図３に示す状態のペット用衣類において、一方の袖を上げて袖下線を示した状態の図解図である。
【図６】図３に示す状態のペット用衣類における袖口の方向を示した状態の図解図である。
【図７】本願発明にかかるペット用衣類の他の例を示し、このペット用衣類をたとえば犬に着用させた状態を示す図解図である。
【図８】本願発明にかかるペット用衣類のさらに他の例を示し、このペット用衣類をたとえば犬に着用させた状態を示す図解図である。
【図９】本願発明の背景となる従来のペット用衣類の一例を示し、この従来のペット用衣類を犬に着用させた状態を示す図解図である。
【図１０】図９に示す状態において、袖を取除いてアームホールの周辺を示した状態の図解図である。
【図１１】図１１（Ａ）は、図１０に示す従来のペット用衣類の前身頃となる縫製前の裁断された布をＸ−Ｘ線を中心に左右に配置した状態の平面図であり、図１１（Ｂ）は、図１０に示す従来のペット用衣類の後身頃となる縫製前の裁断された布をＸ−Ｘ線を中心に左右に配置した状態の平面図である。
【図１２】図９に示す状態のペット用衣類において、一方の袖を上げて袖下線を示した状態の図解図である。
【図１３】図９に示す状態のペット用衣類における袖口の方向を示した状態の図解図である。
【符号の説明】
【００２４】
１０  ペット用衣類
１２  前身頃
１２ａ  左前身頃
１２ｂ  右前身頃
１４  後身頃
１４ａ  左後身頃
１４ｂ  右後身頃
１６  前腕繰り（前身頃アームホール）となるライン
１８  背腕繰り（後身頃アームホール）となるライン
２０，２２，２８，３０  脇線となる縫着ライン
２４，２６，３２，３４  肩線となる縫着ライン
３６，４４  脇線
３８，４６  肩線
４０  左身頃
４２  右身頃
４８，５０  袖付線（袖付縫目）
５２，５４  袖
５６，５８  ネックライン
６０  衿
６２  釦
６４  袖下線
６６  ラグラン袖
６８，７０  ラグラン線
７２  袖下なしのラグラン袖
７４  袖下なしのラグラン袖の袖口
ＡＨ１，ＡＨ２  アームホール
Ｓ１，Ｓ２  肩線と袖の袖付線との交点（肩先）
【図１】
2006034122.tif 000003
【図２】
2006034122.tif 000004
【図３】
2006034122.tif 000005
【図４】
2006034122.tif 000006
【図５】
2006034122.tif 000007
【図６】
2006034122.tif 000008
【図７】
2006034122.tif 000009
【図８】
2006034122.tif 000010
【図９】
2006034122.tif 000011
【図１０】
2006034122.tif 000012
【図１１】
2006034122.tif 000013
【図１２】
2006034122.tif 000014
【図１３】
2006034122.tif 000015